(57)【要約】【課題】ディジタル放送受信携帯端末においては、利用者が番組の視聴を中断せざるを得ない状況が発生し、そのことにより利用者が番組内容が把握できなくなるという問題がある。【解決手段】ディジタル放送受信携帯端末と、ディジタル放送受信携帯端末とネットワークを介して接続可能なディジタル放送固定受信装置とを備え、ディジタル放送受信携帯端末にて視聴を中断せざるを得なくなった番組を、ディジタル放送固定受信装置に自動的に記録することで、利用者に煩わしい操作を必要とすることなく視聴中断した番組の続きを視聴できるシステムを提供する。また、ディジタルテレビ放送固定受信装置がディジタル放送受信携帯端末に対して、視聴中断した番組に関する情報を送信することで、視聴中断した番組の内容を外出先でリアルタイムに取得でき、かつ情報のみの取得となるためあまり時間をかけることなく番組の内容を把握することを可能とした。【選択図】図１
2006041581.tif 000002
【特許請求の範囲】
【請求項１】
ディジタル放送受信携帯端末と、前記ディジタル放送受信携帯端末とネットワークを介して接続可能な、少なくとも記録再生装置を有するディジタル放送固定受信装置とを備えたディジタルテレビ放送受信システムであって、
前記ディジタル放送固定受信装置は、前記ディジタル放送受信携帯端末からの要求に従い、指定された番組の前記記録再生装置への記録を開始することを特徴とするディジタルテレビ放送受信システム。
【請求項２】
前記ディジタル放送受信携帯端末は、ディジタルテレビ放送の視聴開始をトリガとして、前記ディジタル放送固定受信装置に対して記録開始要求を送信する請求項１に記載のディジタルテレビ放送受信システム。
【請求項３】
前記ディジタル放送固定受信装置は、前記記録再生装置の繰り返し記録可能なループ領域への記録を開始することを特徴とする請求項１に記載のディジタルテレビ放送受信システム。
【請求項４】
前記ディジタル放送固定受信装置は、記録中の番組の放送が終了したことを検出したら記録を終了することを特徴とする請求項１に記載のディジタルテレビ放送受信システム。
【請求項５】
前記ディジタル放送固定受信装置は、前記ディジタル放送受信携帯端末からの要求に従い、前記記録再生装置のループ領域に記録された番組を通常領域に保存することを特徴とする請求項３または請求項４に記載のディジタルテレビ放送受信システム。
【請求項６】
前記ディジタル放送受信携帯端末は、視聴中断の検出をトリガとして、前記ディジタル放送固定受信装置に対して記録番組の保存要求を送信する請求項５に記載のディジタルテレビ放送受信システム。
【請求項７】
前記ディジタル放送固定受信装置は、記録番組の保存結果を前記ディジタル放送受信携帯端末に送信することを特徴とする請求項５に記載のディジタルテレビ放送受信システム。
【請求項８】
前記ディジタル放送固定受信装置は、前記ディジタル放送受信携帯端末からの要求に従い、前記記録再生装置のループ領域に記録中の番組に関する情報を、前記ディジタル放送受信携帯端末に送信することを特徴とする請求項１に記載のディジタルテレビ放送受信システム。
【発明の詳細な説明】
【技術分野】
【０００１】
本発明は、ディジタルテレビ放送受信システムに係る発明であって、特に、ネットワークを用いたディジタルテレビ放送受信システムに関するものである。
【背景技術】
【０００２】
地上ディジタルテレビ放送では、まもなく携帯受信端末向けのサービスも開始される。このような地上ディジタルテレビ放送を受信するディジタル放送受信用携帯端末は、外出先で使用されることが想定されており、場合によってはテレビ視聴を中断しなければならない状況が発生する。
【０００３】
例えば、移動することで受信可能なエリアをまたぎ、受信できるチャネルが変更されることによって視聴中の番組が視聴できなくなる場合が考えられる。
【０００４】
また、バッテリ残量が無くなった場合や、電車の乗り換え時などにもテレビ視聴を中断せざるをえない状況が発生することが考えられる。
【０００５】
このような課題に対しては、記録センターからネットワークを介して記録された番組を取得する方法が考案されている（特許文献１参照）。
【０００６】
また、バッテリ残量が一定量以下になると、残った電源を有効活用して利用者が視聴中だった番組を内部記録装置に記録しておく方法も考案されている（特許文献２参照）。
【特許文献１】特開２００３−３２４６７５号公報
【特許文献２】特開２００３−２８３９５８号公報
【発明の開示】
【発明が解決しようとする課題】
【０００７】
しかしながら特許文献１に記載の発明においては、放送番組を全て記録するための記録センターを設置する必要があり、また記録センターから記録番組を取得するための煩わしい操作も必要とする。
【０００８】
特許文献２に記載の発明においては、バッテリ残量が無くなった場合にのみ有効な方法であり、またディジタル放送受信携帯端末に記録装置を備えることを必要とする。
【０００９】
また、特許文献１、特許文献２に記載の発明のいずれも、記録された番組を視聴する必要があり、番組内容の情報のみを必要とする利用者にとっても十分な時間を確保することが必要となる。
【００１０】
本発明の目的は、ディジタル放送受信携帯端末にてディジタル放送視聴中に、やむを得ない理由により視聴中断せざるを得ない状況においても、利用者に煩わしい操作を必要とすることなく視聴中断した番組の続きを視聴できるシステムを提供することである。
【００１１】
また、本発明の更なる目的は、視聴中断した番組の内容を外出先でリアルタイムに取得でき、あまり時間をかけることなく番組内容を把握できるシステムを提供することである。
【課題を解決するための手段】
【００１２】
上記の課題を解決するために、本発明は、ディジタル放送受信携帯端末と、前記ディジタル放送受信携帯端末とネットワークを介して接続されている前記ディジタル放送受信端末の利用者が自宅に保有するディジタル放送固定受信装置とを備え、前記ディジタル放送固定受信装置は、前記ディジタル放送受信携帯端末からの要求に従い、指定された番組を記録再生装置へ記録することで達成している。
【００１３】
更なる本発明は、前記ディジタルテレビ放送固定受信装置が、前記ディジタル放送受信携帯端末からの要求に従い、記録中の番組に関する情報を、前記ディジタル放送受信携帯端末に送信することで達成している。
【発明の効果】
【００１４】
以上のように、本発明によれば、ディジタル放送受信携帯端末と、前記ディジタル放送受信携帯端末とネットワークを介して接続されている前記ディジタル放送受信端末の利用者が自宅に保有するディジタル放送固定受信装置とを備え、前記ディジタル放送固定受信装置は、前記ディジタル放送受信携帯端末からの要求に従い、指定された番組の記録再生装置への記録することで、ディジタル放送受信携帯端末にてディジタル放送視聴中に、やむを得ない理由により視聴中断せざるを得ない状況においても、利用者に煩わしい操作を必要とすることなく視聴中断した番組の続きを視聴することを可能とする効果を有する。
【００１５】
更に、本発明によれば、ディジタルテレビ放送固定受信装置が、ディジタル放送受信携帯端末からの要求に従い、記録中の番組に関する情報を、前記ディジタル放送受信携帯端末に送信することで、視聴中断した番組の内容を外出先でリアルタイムに取得でき、かつあまり時間をかけることなく番組内容を把握できる、との効果を有する。
【発明を実施するための最良の形態】
【００１６】
（実施の形態１）
図１は、本発明の実施の形態に係るディジタルテレビ放送受信システムの概念図を示したものである。本実施の形態のディジタルテレビ放送受信システムは、放送局１ａ、ディジタル放送受信携帯端末１ｂ、ディジタル放送固定受信装置１ｃから構成されている。
【００１７】
ここで、ディジタル放送固定受信装置１ｃは、ディジタル放送受信携帯端末１ｂの利用者宅内に位置し、ディジタル放送受信携帯端末１ｂとディジタル放送固定受信装置１ｃとは、ネットワーク１ｄを介してつながっている。
【００１８】
次に、ディジタル放送受信携帯端末１ｂ、ディジタル放送固定受信装置１ｃの構成について説明する。
【００１９】
図２は、本実施の形態におけるディジタル放送受信携帯端末１ｂの構成を示すブロック図である。図２において、ディジタル放送受信携帯端末１ｂは、復調部２ａと、多重化分離処理部２ｂと、音声デコード処理部２ｃと、音声出力部２ｄと、映像デコード処理部２ｅと、映像表示部２ｆと、ＣＰＵ２ｇと、番組情報取得手段２ｈと、通信手段２iと、視聴状態検出手段２ｊとを備える。
【００２０】
図３は、本実施の形態におけるディジタル放送固定受信装置１ｃの構成を示すブロック図である。図３において、ディジタル放送固定受信装置１ｃは、復調部３ａと、多重化分離処理部３ｂと、記録再生装置３ｃと、ＣＰＵ３ｄと、番組情報取得手段３ｅと、放送番組検索手段３ｆと、通信手段３ｇとを備える。図４は、記録再生装置３ｃの概念図であり、記録再生装置３ｃは、ハードディスクやＤＶＤ−ＲＡＭなど繰り返し記録可能なループ領域４ａと、記録した番組を保存しておくための通常領域４ｂとを備えるものとする。
【００２１】
次に、ディジタル放送受信携帯端末１ｂの動作について図５のフローチャートに従って説明する。
【００２２】
ディジタル放送受信携帯端末１ｂは、利用者がディジタル放送の視聴を開始したことを視聴状態検出手段２ｊが検出すると（Ｓ５１）、チューナ（図示せず）によって受信されたディジタルテレビ放送受信信号を復調部２ａにおいて復調し、この復調されたディジタルテレビ放送受信信号を、多重化分離処理部２ｂへ入力する。多重化分離処理部２ｂは、入力された信号を音声、映像、セクションなど個々のデータストリームに分離する。音声情報は音声デコード処理部２ｅに送出、復号化され、音声出力部２へ出力される。映像情報は映像デコード処理部２ｇへ送出、復号化され、映像表示部２ｈに表示される。セクション情報は、番組情報取得手段２ｈに送出され、番組情報取得手段２ｈはセクション情報を基に番組を特定するためのｓｅｒｖｉｃｅ＿ｉｄ、ｅｖｅｎｔ＿ｉｄなどの番組情報を取得する（Ｓ５２）。
【００２３】
番組情報取得手段２ｈがｓｅｒｖｉｃｅ＿ｉｄ、ｅｖｅｎｔ＿ｉｄなどの番組情報を取得したら、通信手段２ｉは、ネットワーク１ｄを介して取得した番組情報をディジタル放送固定受信装置へ送信することで、記録開始要求を発行する（Ｓ５３）。
【００２４】
利用者がディジタル放送の視聴を中断したことを視聴状態検出手段２ｊが検出すると（Ｓ５４）、通信手段２ｉは、ネットワーク１ｄを介してディジタル放送受信装置へ保存要求を発行する（Ｓ５５）。
【００２５】
ここで視聴状態検出手段２ｊが、視聴が中断されたことを検出する方法について、３通りの具体例を挙げて説明する。
【００２６】
（第１の方法）
第１の方法は、ディジタル放送受信携帯端末１ｂの受信エリアが変更され、視聴中の番組を受信することができなくなった場合の判断方法である。ディジタル放送受信携帯端末１ｂは、視聴状態検出手段２ｊとして番組情報取得手段２ｈを備え、番組情報取得手段２ｈはセクション情報におけるｓｅｒｖｉｃｅ＿ｉｄに含まれる地域識別情報が変化したことを検出すると、ディジタル放送視聴が中断されたと判断する。
【００２７】
（第２の方法）
第２の方法は、ディジタル放送受信携帯端末１ｂが、折りたたまれると映像表示部２ｆが不可視状態になる、折りたたみ可能な構造である場合の判断方法である。ディジタル放送受信携帯端末１ｂは、視聴状態検出手段２ｊとして折りたたみ状態を検出する折りたたみ状態検出手段備え、折りたたみ状態検出手段は、ディジタル放送受信携帯端末１ｂが折りたたまれていない状態から折りたたまれている状態に変化したことを検出すると、ディジタル放送視聴が中断されたと判断する。
【００２８】
（第３の方法）
第３の方法は、ディジタル放送受信携帯端末１ｂが、映像表示部２ｆの駆動を制御する表示部制御手段を備えている場合の判断方法である。ディジタル放送受信携帯端末１ｂは、視聴状態検出手段２ｊとして表示部制御手段を備え、表示部制御手段は利用者によって映像表示部２ｆのＯＮ／ＯＦＦ操作が可能とする。表示部制御手段は、利用者によってＯＮからＯＦＦに制御されたことを検出すると、ディジタル放送視聴が中断されたと判断する。
【００２９】
次に、ディジタル放送固定受信装置１ｃの動作について説明する。
【００３０】
ディジタル放送固定受信装置１ｃは、ネットワーク１ｄを介してディジタル放送受信携帯端末１ｂから記録開始要求を受信すると（Ｓ６１）、記録開始要求と同時に番組情報を取得する（Ｓ６２）。放送番組検索手段３ｆは、復調部３ａ、多重化分離処理部３ｂを経由して取得したセクション情報を元に、ディジタル放送受信携帯端末１ｂが記録要求する番組を受信可能であるか検索する（Ｓ６３）。受信可能であると判断した場合、記録再生装置３ｃのループ領域４ａに記録を開始する（Ｓ６４）。受信不可能であると判断した場合は、記録できない事をディジタル放送受信携帯端末１ｂへ通知する（Ｓ６ａ）。
【００３１】
記録中に、ディジタル放送受信携帯端末１ｂから保存要求を受信し（Ｓ６５）、かつ番組情報取得手段３ｅが記録中の番組の放送が終了したことを検出すると（Ｓ６６）、ループ領域４ａへの記録を終了（Ｓ６７）、ループ領域４ａに保存した番組を通常領域４ｂにコピーし（Ｓ６９）、正常に保存できた事をディジタル放送受信携帯端末１ｂへ通知する（Ｓ６ａ）。
【００３２】
記録中に、ディジタル放送受信携帯端末１ｂから保存要求を受信することなく、記録中の番組の放送が終了したことを検出すると（Ｓ６６）、ループ領域４ａへの記録を終了する（Ｓ６７）。その時、ループ領域４ａに保存した番組は、通常領域４ｂにコピーしない。
【００３３】
なお番組情報取得手段３ｅは、多重化分離処理部３ｂから取得するセクション情報のｅｖｅｎｔ＿ｉｄを監視することで番組の放送が終了したことを検出する。
【００３４】
このように、ディジタル放送固定受信装置が、ディジタル放送受信携帯端末からの要求に従い、指定された番組を記録保存することで、ディジタル放送受信携帯端末にてディジタル放送視聴中に、やむを得ない理由により視聴中断せざるを得ない状況においても、利用者に煩わしい操作を必要とすることなく視聴中断した番組の続きを視聴することを可能とする。
【００３５】
（実施の形態２）
本発明の更なる実施例として、実施の形態１における実施例と比較して異なる部分を説明する。ディジタル放送固定受信装置１ｃは、ディジタル放送受信携帯端末１ｂから保存要求を受信してから、番組情報取得手段３ｅが記録中の番組の放送が終了したことを検出するまでの間、番組情報取得手段３ｅが取得する記録中の番組に関する情報を、ディジタル放送受信携帯端末１ｂへ通知する。
【００３６】
通知する番組に関する情報としては、例えばデータ放送の内容や字幕・文字スーパーの情報とする。
【００３７】
通知するタイミングとしては、例えばデータ放送にてデータイベントが発生した場合や、一定時間が経過した場合とする。
【００３８】
このように、ディジタルテレビ放送固定受信装置が、ディジタル放送受信携帯端末からの要求に従い、記録中の番組に関する情報をディジタル放送受信携帯端末に送信することで、視聴中断した番組の内容を外出先でリアルタイムに受信することが可能となる。また、映像コンテンツそのものではなく情報のみの取得となるため、あまり時間をかけることなく番組内容を把握することが可能となる。
【産業上の利用可能性】
【００３９】
本発明にかかるディジタルテレビ放送受信システムは、煩わしい操作を必要とすることなく放送番組を視聴でき、リアルタイムに番組内容を把握することを可能とすることが必要な、特に携帯型ディジタルテレビ放送受信装置等として有用である。
【図面の簡単な説明】
【００４０】
【図１】本発明の実施の形態に係るディジタルテレビ放送受信システムの概念図
【図２】ディジタル放送受信携帯端末の構成を示すブロック図
【図３】ディジタル放送固定受信装置の構成を示すブロック図
【図４】ディジタル放送固定受信装置の記録再生装置の概念図
【図５】ディジタル放送受信携帯端末の視聴時の手順を示すフローチャート
【図６】ディジタル放送固定受信装置の記録の手順を示すフローチャート
【符号の説明】
【００４１】
１ａ    放送局
１ｂ    ディジタル放送受信携帯端末
１ｃ    ディジタル放送固定受信装置
２ａ    復調部
２ｂ    多重化分離処理部
２ｃ    音声デコード処理部
２ｄ    音声出力部
２ｅ    映像デコード処理部
２ｆ    映像表示部
２ｇ    ＣＰＵ
２ｈ    番組情報取得手段
２ｉ    通信手段
２ｊ    視聴状態検出手段
３ａ    復調部
３ｂ    多重化分離処理部
３ｃ    記録再生装置
３ｄ    ＣＰＵ
３ｅ    番組情報取得手段
３ｆ    放送番組検索手段
３ｇ    通信手段
４ａ    ループ領域
４ｂ    通常領域
【図１】
2006041581.tif 000003
【図２】
2006041581.tif 000004
【図３】
2006041581.tif 000005
【図４】
2006041581.tif 000006
【図５】
2006041581.tif 000007
【図６】
2006041581.tif 000008